(57)【特許請求の範囲】
【請求項１】
入射された信号光ビームを直進する第１ビームと、該第１ビームより短波長の第２ビームと、長波長の第３ビームとに分離するビーム分離手段と；
前記第１、第２及び第３ビームが透過するように配置された多層膜フィルタと；
前記第２ビームを検出するように配置された第１光検出器と；
前記第３ビームを検出するように配置された第２光検出器と；
前記第１及び第２光検出器に接続され、該第１及び第２光検出器の出力を比較してその差分信号を出力する比較器と；
前記多層膜フィルタを移動させるアクチュエータと；
前記差分信号に応じて、前記多層膜フィルタの透過帯域の中心波長が前記信号光ビームの中心波長と一致するように、前記アクチュエータを駆動する駆動手段と；
を具備したことを特徴とするチューナブルフィルタモジュール。
【請求項２】
前記ビーム分離手段は透過型回折格子から構成される請求項１記載のチューナブルフィルタモジュール。
【請求項３】
前記第１ビームは前記透過型回折格子の０次光であり、第２ビームは前記透過型回折格子の＋１次光、前記第３ビームは−１次光である請求項２記載のチューナブルフィルタモジュール。
【請求項４】
前記ビーム分離手段は底面と、該底面に平行な上面と、該底面及び上面を連結する第１及び第２斜面とを有する台形プリズムから構成され；該台形プリズムは前記上面が信号光ビームに対向して信号光ビームと概略直角となるように配置され、前記第１及び第２斜面の一部が信号光ビーム内に入るようなサイズを有している請求項１記載のチューナブルフィルタモジュール。
【請求項５】
前記上面を透過する信号光ビームが前記第１ビームとなり、前記第１斜面で屈折された信号光ビームが前記第２ビームとなり、前記第２斜面で屈折された信号光ビームが前記第３ビームとなる請求項４記載のチューナブルフィルタモジュール。
【請求項６】
前記ビーム分離手段は第１の楔角を有する第１複屈折楔板と、第１の楔角と等しい第２の楔角を有し、楔の向きが前記第１複屈折楔板と反対方向となるように配置された第２複屈折楔板とから構成される請求項１記載のチューナブルフィルタモジュール。
【請求項７】
前記第１及び第２複屈折楔板はルチルから形成される請求項６記載のチューナブルフィルタモジュール。
【請求項８】
前記第１及び第２複屈折楔板は方解石から形成される請求項６記載のチューナブルフィルタモジュール。
【請求項９】
前記第１及び第２複屈折楔板はリチウムナイオベートから形成される請求項６記載のチューナブルフィルタモジュール。
【請求項１０】
前記多層膜フィルタは信号光ビームの光路に対して斜めに配置されており、前記アクチュエータにより前記多層膜フィルタの光路に対する傾きを変えることにより該多層膜フィルタの透過中心波長を変更する請求項１記載のチューナブルフィルタモジュール。
【請求項１１】
前記多層膜フィルタは透過波長がその位置によって連続的に変化するように制作されており、前記アクチュエータにより該多層膜フィルタを信号光ビームの光路と概略直角方向に移動させることにより、該多層膜フィルタの透過中心波長を変更する請求項１記載のチューナブルフィルタモジュール。
【請求項１２】
入射された信号光ビームを直進する第１ビームと、該第１ビームより短波長の第２ビームと、長波長の第３ビームとに分離するビーム分離手段と；
前記第１、第２及び第３ビームが透過するように信号光ビームの光路に対して斜めに配置されたファブリペロ干渉器と；
前記第２ビームを検出するように配置された第１光検出器と；
前記第３ビームを検出するように配置された第２光検出器と；
前記第１及び第２光検出器に接続され、該第１及び第２光検出器の出力を比較してその差分信号を出力する比較器と；
前記ファブリペロ干渉器の前記光路に対する傾きを変化させるアクチュエータと；
前記差分信号に応じて、前記ファブリペロ干渉器の透過中心波長が前記信号光ビームの中心波長と一致するように、前記アクチュエータを駆動する駆動手段と；
を具備したことを特徴とするチューナブルフィルタモジュール。
【請求項１３】
入射された信号光ビームを直進する第１ビームと、該第１ビームより短波長の第２ビームと、長波長の第３ビームとに分離するビーム分離手段と；
前記第１、第２及び第３ビームが透過するように配置された多層膜フィルタと；
前記第１ビームを伝搬する第１ファイバと；
前記第１ファイバに隣接して配置された、前記第２ビームを伝搬する第２ファイバと；
前記第１ファイバに隣接して前記第２ファイバと反対側に配置された、前記第３ビームを伝搬する第３ファイバと；
前記第２ファイバの出力端に配置された、前記第２ビームを検出する第１光検出器と；
前記第３ファイバの出力端に配置された、前記第３ビームを検出する第２光検出器と；
前記第１及び第２光検出器に接続され、該第１及び第２光検出器の出力を比較してその差分信号を出力する比較器と；
前記多層膜フィルタを移動させるアクチュエータと；
前記差分信号に応じて、前記多層膜フィルタの透過中心波長が前記信号光ビームの中心波長と一致するように、前記アクチュエータを駆動する駆動手段と；
を具備したことを特徴とするチューナブルフィルタモジュール。
【請求項１４】
前記第１ファイバはシングルモード光ファイバであり、前記第２及び第３ファイバはマルチモード光ファイバである請求項１３記載のチューナブルフィルタモジュール。
【請求項１５】
入射された信号光ビームを回折して回折ビームを出力する回折格子と；
回折ビームの中心波長成分を結合するように配置された出力ポートと；
回折ビームの短波長成分を検出するように配置された第１光検出器と；
回折ビームの長波長成分を検出するように配置された第２光検出器と；
前記第１及び第２光検出器に接続され、該第１及び第２光検出器の出力を比較してその差分信号を出力する比較器と、
前記信号光ビームに対して前記回折格子を揺動させるアクチュエータと、
前記差分信号に応じて、前記出力ポートに結合される回折ビームの中心波長が前記信号光ビームの中心波長と一致するように、前記アクチュエータを駆動する駆動手段と；
を具備したことを特徴とするチューナブルフィルタモジュール。
【発明の詳細な説明】
【０００１】
【発明の属する技術分野】
本発明は、一般的に通過波長帯域の中心波長が可変であるチューナブルフィルタモジュールに関し、特に、入力光の波長変動に応じて自動的に入力光の中心波長に自らの透過中心波長を制御可能なチューナブルフィルタモジュールに関する。
【０００２】
それぞれ異なる波長を有する多数の信号光を一本の光ファイバで伝送する波長多重伝送システムは、極めて大きな伝送容量とコストパフォーマンスが得られる方式として注目されている。波長多重伝送システムにおいては、受信側に目的の波長の信号光のみを取り出し、他の波長の光をカットするフィルタを用いることが一般的に行われている。
【０００３】
一般的には、光フィルタの通過波長帯域は狭い方が望ましい。しかし、光通信システムの送信側の光源の温度変化や経時変化により、信号光の波長が変動するので、使用する光フィルタの通過波長帯域が狭すぎる場合には、信号光も遮断されてしまう恐れがある。
【０００４】
そこで、信号光の波長変化に追随して光フィルタの通過波長帯域の中心波長を制御するシステムを実現するために、通過波長帯域の中心波長が可変であるチューナブルフィルタモジュールが要望されている。
【０００５】
【従来の技術】
従来、光学干渉膜や回折格子への入射角度を機械的に変化させることで、通過波長帯域の中心波長を可変にできるチューナブルフィルタモジュールが知られている。
【０００６】
しかし従来のチューナブルフィルタモジュールでは、信号光とチューナブルフィルタモジュールの設定波長（通過波長帯域の中心波長）がずれていたとき、チューナブルフィルタモジュールの設定波長を短波長側又は長波長側に修正する必要があるが、どちらの方向に修正すべきかが判定できなかった。
【０００７】
そのため、従来はチューナブルフィルタモジュールの設定波長を一定の周期で変動させ、透過光の強度をモニタして、通過波長帯域の中心波長を求めていた。
【０００８】
【発明が解決しようとする課題】
しかし、従来のようにフィルタモジュールの設定波長を一定の周期で変動させると、信号光の強度変動をもたらすなど信号光に悪影響を及ぼし、エラーレートを悪化させる。また、通過波長帯域の中心波長を見い出す作業に時間がかかること、制御系が複雑になる等の欠点があった。
【０００９】
故に本発明の目的は、信号光の波長変動に応じて自動的に信号光の中心波長に自らの透過中心波長を制御可能なチューナブルフィルタモジュールを提供することである。
【００１０】
【課題を解決するための手段】
本発明によると、入射された信号光ビームを直進する第１ビームと、該第１ビームより短波長の第２ビームと、長波長の第３ビームとに分離するビーム分離手段と；前記第１、第２及び第３ビームが透過するように配置された多層膜フィルタと；前記第２ビームを検出するように配置された第１光検出器と；前記第３ビームを検出するように配置された第２光検出器と；前記第１及び第２光検出器に接続され、該第１及び第２光検出器の出力を比較してその差分信号を出力する比較器と；前記多層膜フィルタを移動させるアクチュエータと；前記差分信号に応じて、前記多層膜フィルタの透過帯域の中心波長が前記信号光ビームの中心波長と一致するように、前記アクチュエータを駆動する駆動手段と；を具備したことを特徴とするチューナブルフィルタモジュールが提供される。
【００１１】
好ましくは、ビーム分離手段は透過型回折格子から構成される。代案として、ビーム分離手段を楔角が相互に等しく楔の向きが反対方向に配置された一対の複屈折楔板から構成することもできる。
【００１２】
本発明の他の側面によると、入射された信号光ビームを直進する第１ビームと、該第１ビームより短波長の第２ビームと、長波長の第３ビームとに分離するビーム分離手段と；前記第１、第２及び第３ビームが透過するように信号光ビームの光路に対して斜めに配置されたファブリペロ干渉器と；前記第２ビームを検出するように配置された第１光検出器と；前記第３ビームを検出するように配置された第２光検出器と；前記第１及び第２光検出器に接続され、該第１及び第２光検出器の出力を比較してその差分信号を出力する比較器と；前記ファブリペロ干渉器の前記光路に対する傾きを変化させるアクチュエータと；前記差分信号に応じて、前記ファブリペロ干渉器の透過中心波長が前記信号光ビームの中心波長と一致するように、前記アクチュエータを駆動する駆動手段と；を具備したことを特徴とするチューナブルフィルタモジュールが提供される。
【００１３】
第１光検出器が第２ビームの強度を検出し、強度に応じた電気信号を出力する。一方、第２光検出器が第３ビームの強度を検出し、強度に応じた電気信号を出力する。比較器で第１及び第２光検出器の出力が比較され、その差分信号が駆動手段に出力される。
【００１４】
駆動手段は、比較器から出力される差分信号に応じて、多層膜フィルタの透過中心波長を信号光ビームの中心波長と一致するようにアクチュエータを駆動する。
【００１５】
【実施の形態】
図１を参照すると、本発明第１実施例のチューナブルフィルタモジュール２の概略構成図が示されている。本明細書全体を通して、実質上同一構成部分については同一符号を付して説明する。
【００１６】
符号４はチューナブルフィルタモジュール２のケース又はベースである。ケース４には入力光ファイバ６に接続されたフェルール８が固定されている。入力光ファイバ８から出射した信号光はレンズ１０によりコリメートされて、コリメートされた信号光ビーム１８が透過型回折格子１２に入射する。
【００１７】
透過型回折格子１２をまっすぐ透過する光は０次光ビーム２０であり、この０次光ビームの左右に＋１次光ビーム２２、−１次光ビーム２４が出射する。ここで、更に高次の光（±２次光等）は強度が弱いため、無視するように設計することが容易である。
【００１８】
一例として、０次光の強度が約９６％、±１次光の強度が２％ずつ、他の次数の強度が０．１％以下となるように設計する。このとき、透過型回折格子１２を挿入したことにより、主信号ポートが受ける損失増加は０．２ｄＢである。
【００１９】
また、透過型回折格子１２は１ｍｍあたり１００本程度の溝数を有していれば十分であり、安価に製造できると共に、波長による回折角度依存性も小さくできる。
【００２０】
符号１４は誘電体多層膜フィルタであり、ピボット軸１６回りに回動可能に取り付けられている。ここで、主信号光ビーム２０は入射角θ0 で誘電体多層膜フィルタ１４に入射し、＋１次光ビーム２２は主信号光ビーム２０の入射角θ0 よりも大きな入射角θ+1で誘電体多層膜フィルタ１４に入射し、−１次光ビーム２４は主信号光ビーム２０の入射角θ0 よりも小さな入射角θ-1で誘電体多層膜フィルタ１４に入射する。
【００２１】
このため、＋１次光ビーム２２は主信号光ビーム２０よりも短波長の光が誘電体多層膜フィルタ１４を透過することになり、−１次光ビーム２４は主信号光ビーム２０よりも長波長の光が誘電体多層膜フィルタ１４を透過する。この関係が図２に示されている。
【００２２】
＋１次光ビーム２２はフォトダイオード３２で検出され、−１次光ビーム２４はフォトダイオード３４で検出される。また、主信号光ビーム２０はレンズ２６により出力光ファイバ３０に結合される。符号２８は出力光ファイバ３０に接続されたフェルールであり、ケース４に固定されている。
【００２３】
透過型回折格子１２の回折光、即ち＋１次光ビーム２２及び−１次光ビーム２４はそれぞれフォトダイオード３２，３４で受光するため、波長による回折角度変動が微小ならば許容できる。即ち、回折角度変動によるビーム位置ずれよりもフォトダイオード３２，３４の受光径が大きくなるように設計する。
【００２４】
フォトダイオード３２及び３４は比較器３６に接続されている。比較器３６で＋１次光ビーム２２と−１次光ビーム２４の強度を比較し、＋１次光ビーム２２の方が強度が高ければ誘電体多層膜フィルタ１４の透過帯域の中心波長（設定波長）が信号光ビーム１８の中心波長よりも短いことを示し、−１次光ビーム２４の方が強度が高ければ誘電体多層膜フィルタ１４の透過帯域の中心波長が信号光ビーム１８の中心波長よりも長いことを示す。
【００２５】
比較器３６の出力はマイクロアクチュエータ４０の駆動回路３８に入力される。マイクロアクチュエータ４０はシリンダ４２と、このシリンダ４２に対して摺動可能なピストン４４を有しており、ピストン４４が誘電体多層膜フィルタ１４に当接している。
【００２６】
よって、比較器３６から出力される＋１次光ビーム２２と−１次光ビーム２４の強度の差分信号に応じて、駆動回路３８がアクチュエータ４０を駆動し、誘電体多層膜フィルタ１４の透過帯域の中心波長が信号光ビーム１８の中心波長と一致するように誘電体多層膜フィルタ１４の傾斜角を変化させる。
【００２７】
上述した説明は信号光ビーム１８のプロフィールが中心に対して対称と仮定した場合であるが、実際の信号光ビームは中心に対して対称に近い場合が多く、実用上問題が起こることはほとんどない。
【００２８】
信号光ビームのプロフィールは、モジュールを組み立てる前に例えばスペクトラムアナライザで検出する。この検出により、信号光ビームのプロフィールが中心に対して非対称と検出された場合には、信号光ビームのプロフィルに応じた補正回路をフォトダイオード３２と比較器３６の間、又はフォトダイオード３４と比較器３６の間に挿入する。
【００２９】
図３を参照すると、本発明第２実施例のチューナブルフィルタモジュール４６の概略構成図が示されている。この実施例は、透過波長がその位置によって連続的に変化するように製作された誘電体多層膜フィルタを水平方向に移動させることによって、誘電体多層膜フィルタ４８の透過帯域の中心波長を変化させる。
【００３０】
具体的には、図４に示すように透明基板５０上に積層する誘電体多層膜４８の厚さを連続的に変化させることにより、透過波長をその位置によって連続的に変化させることができる。
【００３１】
誘電体多層膜フィルタ４８は第１実施例と同様なマイクロアクチュエータ４０により、水平方向に移動される。尚図３においては、図１に示した第１実施例の比較器３６及び駆動回路３８が省略されている。
【００３２】
図３において、誘電体多層膜フィルタ４８はその下側の膜厚が上側の膜厚よりも連続的に厚くなるように形成されている。このように構成すると、第１実施例と同様に＋１次光ビーム２２と−１次光ビーム２４は、主信号光ビーム２０よりもそれぞれ短波長、長波長の場所を透過することになる。
【００３３】
よって、フォトダイオード３２，３４で検出した＋１次光ビーム２２と−１次光ビーム２４の強度を比較して、その強度差に応じてマイクロアクチュエータ４０を駆動することにより、誘電体多層膜フィルタ４８の透過帯域の中心波長を信号光ビームの中心波長と一致させることができる。
【００３４】
尚本実施例の場合には、＋１次光ビーム２２と−１次光ビーム２４の誘電体多層膜フィルタ４８に対する入射角はほとんど０°に近いため、入射角の変化による波長ずれは無視し得る。
【００３５】
図５を参照すると、本発明第３実施例のチューナブルフィルタモジュール５２の概略構成図が示されている。本実施例では、シングルモードファイバ５６と、このシングルモードファイバ５６の両側に配置されたマルチモードファイバ５８，６０とからなるファイバアレイ５５を使用する。
【００３６】
マルチモードファイバ５８はフォトダイオード３２に光学的に接続されており、マルチモードファイバ６０はフォトダイオード３４に光学的に接続されている。
【００３７】
誘電体多層膜フィルタ４８を透過した主信号光ビーム、＋１次光ビーム及び−１次光ビームはレンズ５４によりシングルモードファイバ５６、マルチモードファイバ５８、マルチモードファイバ６０にそれぞれ結合される。
【００３８】
本実施例では、主信号光ビームを伝搬する光ファイバ５６のみをシングルモードファイバから構成し、＋１次光ビーム及び−１次光ビームを伝搬するファイバ５８，６０はマルチモードファイバから構成したため、レンズ５４によるビームのアライメントは中央のシングルモードファイバ５６だけで取ればよく、１個のレンズ５４により主信号光ビーム、＋１次光ビーム及び−１次光ビームを３本のファイバ５６，５８及び６０に容易に結合することができる。
【００３９】
また、上述した第１及び第２実施例では、フォトダイオード３２，３４で＋１次光ビーム２２及び−１次光ビーム２４をそれぞれ直接受光しているため、主信号光ビーム２０と干渉しないようにフォトダイオード３２，３４を配置するのにビーム進行方向にある程度の距離を必要とする。
【００４０】
しかし本実施例では、レンズ５４により＋１次光ビーム及び−１次光ビームをマルチモードファイバ５８，６０にそれぞれ結合するだけでよいので、モジュール全体を小型に構成することができる。図５においても、図１に示した第１実施例の比較器３６及び駆動回路３８は省略されている。
【００４１】
図６を参照すると、本発明第４実施例のチューナブルフィルタモジュール６２の概略構成図が示されている。本実施例では、信号光ビームを三分割するのに信号光ビームのビーム径に対して所定のサイズを有する台形プリズム６４を使用する。
【００４２】
本実施例の他の構成は、図１に示した第１実施例と同様である。本実施例においても、図１に示した比較器３６、駆動回路３８及びマイクロアクチュエータ４０は省略されている。
【００４３】
台形プリズム６４は、図７に示すように底面６４ａと、底面６４ａに平行な上面６４ｂと、底面６４ａと上面６４ｂとを連結する一対の斜面６４ｃ，６４ｄを有している。
【００４４】
図８を参照すると、信号光ビームのビーム径Ｄとプリズム６４の配置関係が示されている。ビーム径Ｄを有する信号光ビームのうち、プリズム６４の上面６４ｂに入射するビーム径Ｄ1 の信号光ビームはプリズム６４を透過して主信号光ビーム６６となる。
【００４５】
一方、プリズム６４のエッジ６５，６７より外側の信号光ビームはそれぞれ斜面６４ｃ，６４ｄで屈折されて、プリズム６４から屈折ビーム６８，７０が出射する。このように信号光のビーム径Ｄに対して所定のサイズの台形プリズム６４を使用することにより、信号光ビームを三分割することができる。
【００４６】
本実施例においても、フォトダイオード３２，３４で検出する屈折ビーム６８，７０の強度に応じて、誘電体多層膜フィルタ１４の傾きを変化させて、誘電体多層膜フィルタ１４の透過帯域の中心波長を信号光ビームの中心波長と一致させることができる。
【００４７】
図９を参照すると、本発明第５実施例のチューナブルフィルタモジュール７２の概略構成図が示されている。本実施例では、信号光ビームを三分割するために第１の複屈折結晶楔板７４と第２の複屈折結晶楔板７６の組み合わせを用いる。第１の複屈折結晶楔板７４と第２の複屈折結晶楔板７６は同一の楔角を有しているが、その向きが反対となるように信号光ビームの光路中に挿入される。
【００４８】
第１の複屈折結晶楔板７４の光学軸７５と、第２の複屈折結晶楔板７６の光学軸７７は図１０に示すような関係で配置されている。第２の複屈折結晶楔板７６から出射する主信号ビーム７８の割合を多くし、分割ビーム８０，８２の割合を小さく抑えるために、光学軸７５と光学軸７７の成す角度は約５°〜約１５°程度であるのが望ましい。
【００４９】
次に図１１を参照して、第１及び第２の複屈折結晶楔板７４，７６が挿入された場合の、信号光ビームの光路について説明する。まず、信号光ビームは第１の複屈折結晶楔板７４で常光（ｏ）と異常光（ｅ）に分離される。
【００５０】
第１の複屈折結晶楔板７４から出射する常光成分は第２の複屈折結晶楔板７６で常光７８ａと、異常光８０とに分離される。一方、第１の複屈折結晶楔板７４から出射する異常光成分は第２の複屈折結晶楔板７６で異常光７８ｂと、常光８２とに分離される。
【００５１】
第１及び第２の複屈折結晶楔板７４，７６はその楔角が同一で楔の向きが反対となるように光路に配置されているため、第１及び第２の複屈折結晶楔板７４，７６で共に常光であるか、共に異常光であれば、屈折は相殺され、符号７８ａ，７８ｂに示す如く出射ビームは直進する。
【００５２】
一方、第１の複屈折結晶楔板７４で常光で、第２の複屈折結晶楔板７６で異常光であれば、出射ビーム８０は図示するように斜め上方に屈折される。また、第１の複屈折結晶楔板７４で異常光で、第２の複屈折結晶楔板７６で常光であれば、出射ビーム８０は斜め下方に屈折される。
【００５３】
このとき、まっすぐ進むビーム７８ａ，７８ｂは互いに異なる偏光成分が混合されるため、主信号ビーム７８全体としては偏光依存性が生じない。屈折ビーム８０，８２については偏光依存性があるが、偏光依存性が問題にならないようなシステムを組むことは可能である。
【００５４】
例えば、ビーム８０，８２の光路中に偏波スクランブラを挿入し、偏波を連続的に回転させる。このとき、回転周期よりも長い時間スパンであれば、偏光依存性が問題にならない。
【００５５】
このような複屈折結晶楔板の材料としては、一般の複屈折結晶を全て使用することができるが、通信用の用途を考えた場合、複屈折の大きさと材料の安定性からルチルが優れている。
【００５６】
しかしルチルは複屈折が大きいが、屈折率自体も大きい（ｎe ＝２．７，ｎo ＝２．４）ため、ガラス（ｎ＝１．５）や光学接着剤（ｎ＝１．５５）とその屈折率が大きく異なっている。実装の都合により、接着剤でガラスと複屈折結晶、又は複屈折結晶同士を接着したい場合には方解石が優れている。
【００５７】
又、光学用複屈折結晶として最も量産されているリチウムナイオベート（ＬｉＮｂＯ3 ）を使用することもでき、量産性を高めることができる。もちろん、これら以外の結晶、例えばリチウムタンタレート（ＬｉＴｉＯ3 ）や二酸化テルル等も使用可能である。
【００５８】
本実施例においても、図１に示した比較器３６，駆動回路３８及びマイクロアクチュエータ４０は図示を省略されている。本実施例においても、屈折ビーム８０，８２の強度に応じて、誘電体多層膜フィルタ１４の傾きを変えることにより、誘電体多層膜フィルタ１４の透過帯域の中心波長を信号光ビームの中心波長に一致させることができる。
【００５９】
図１２を参照すると、本発明第６実施例のチューナブルフィルタモジュール８４の概略構成図が示されている。本実施例では、波長フィルタとして、ファブリペロ干渉器８６を使用する。
【００６０】
本実施例の他の構成は、図１に示した第１実施例と同様である。本実施例においても、図１に示した比較器３６、駆動回路３８及びマイクロアクチュエータ４０はその図示を省略されている。
【００６１】
ファブリペロ干渉器は、例えばガラスの両面に適当な透過率の膜を施すことによってビームを干渉させ、狭帯域フィルタを得るものであるが、入射角を若干変えることによって透過帯域の中心波長が変わることが知られている。
【００６２】
図１３を参照すると、本発明第７実施例のチューナブルフィルタモジュール９０の概略構成図が示されている。本実施例は回折格子９２を使用し、出力ポート（出力ファイバ３０）に結合される回折ビームの中心波長を信号光ビームの中心波長に一致させるように、回折格子９２を揺動又は回転させて回折格子９２と出力ポート間の相対角度を変更する。
【００６３】
回折格子９２は１ｍｍあたり約１２００〜２４００本の溝を有している。回折光ビーム９４は図１４に示すような波長の広がりを有しており、回折ビーム９４のセグメント９４ａを受光するようにフォトダイオード３２を配置し、セグメント９４ｂを受光するようにフォトダイオード３４を配置する。
【００６４】
フォトダイオード３２，３４の出力を図示しない比較器で比較し、その差分信号に応じて回折格子９２を回転させることにより、出力ポートに結合される回折ビームの中心波長を信号光ビームの中心波長に一致させることができる。
【００６５】
【発明の効果】
本発明は以上詳述したように構成したので、信号光ビームの波長変動に応じて、透過帯域の中心波長を信号光ビームの中心波長に自動的に一致させることのできる、チューナブルフィルタモジュールを提供することができる。
【図面の簡単な説明】
【図１】本発明第１実施例の概略構成図である。
【図２】＋１次光、０次光及び−１次光の波長と透過率の関係を示す図である。
【図３】本発明第２実施例の概略構成図である。
【図４】第２実施例に使用する誘電体多層膜フィルタの拡大図である。
【図５】本発明第３実施例の概略構成図である。
【図６】本発明第４実施例の概略構成図である。
【図７】台形プリズムの斜視図である。
【図８】信号光のビーム径とプリズムの配置関係を示す図である。
【図９】本発明第５実施例の概略構成図である。
【図１０】一対の複屈折楔板の光学軸方位を示す図である。
【図１１】常光及び異常光の光路を示す図である。
【図１２】本発明第６実施例の概略構成図である。
【図１３】本発明第７実施例の概略構成図である。
【図１４】回折光ビームの波長の広がりを示す図である。
【符号の説明】
６  入射光ファイバ
１２  透過型回折格子
１４  誘電体多層膜フィルタ
３２，３４  フォトダイオード
３６  比較器
３８  駆動回路
４０  マイクロアクチュエータ
４８  誘電体多層膜フィルタ
６４  台形プリズム
７４，７６  複屈折結晶楔板
８６  ファブリペロ干渉器
９２  回折格子
【図１】
0003540062.tif 000002
【図２】
0003540062.tif 000003
【図３】
0003540062.tif 000004
【図４】
0003540062.tif 000005
【図５】
0003540062.tif 000006
【図６】
0003540062.tif 000007
【図７】
0003540062.tif 000008
【図８】
0003540062.tif 000009
【図９】
0003540062.tif 000010
【図１０】
0003540062.tif 000011
【図１１】
0003540062.tif 000012
【図１２】
0003540062.tif 000013
【図１３】
0003540062.tif 000014
【図１４】
0003540062.tif 000015